(57)【要約】【課題】光ポインタにより各種の操作を正確、かつ操作性良く実行させる。【解決手段】画像情報を投影するプロジェクタ１０４と、画像情報に対してスポット光１０８を照射して位置を指示すると共に、照射のＯＮ／ＯＦＦの切替えが可能な光ポインタ１０７と、画像情報が投影される画像表示領域１０２を撮影して撮影情報を出力するカメラ１０３と、撮影情報に基づいて画像情報におけるスポット光１０８の照射位置と、照射のＯＮ／ＯＦＦ状態を検出し、スポット光１０８の照射がＯＮからＯＦＦになったことを検出したときに、スポット光１０８がＯＦＦになった位置に応じて選択領域３０６を設定する入力装置１０５と、を備える。【選択図】図４
2012234382.tif 000002
【特許請求の範囲】
【請求項１】
画像情報を投影する映像投影手段と、
前記画像情報に対して指示光を照射して位置を指示すると共に、照射のＯＮ／ＯＦＦの切替えが可能な光ポインタと、
前記画像情報が投影される領域を撮影して撮影情報を出力する撮像手段と、
前記撮影情報に基づいて前記画像情報における前記指示光の照射位置と、該指示光の照射のＯＮ／ＯＦＦ状態を検出する指示検出手段と、
前記指示検出手段により前記指示光の照射がＯＮからＯＦＦになったことを検出したときに、前記指示光がＯＦＦになった位置に応じて追加画像情報を設定する制御手段と、
を備えたことを特徴とする画像表示システム。
【請求項２】
前記追加画像情報は、少なくとも前記画像情報に対し所定の操作を行う操作ボタンを含んでいることを特徴とする請求項１に記載の画像表示システム。
【請求項３】
前記制御手段は、前記指示検出手段により前記操作ボタンのいずれかの領域において前記指示光の照射がＯＦＦからＯＮに戻ったことを検出した際に、該操作ボタンに対する操作が実行されたことを判断することを特徴とする請求項２に記載の画像表示システム。
【請求項４】
前記制御手段は、前記指示検出手段により前記指示光がＯＦＦからＯＮに戻ったことを検出し、かつ前記操作ボタンのいずれの領域で該指示光が照射されているかを判断した後、該領域への照射が所定時間継続したときに、該操作ボタンに対する操作が実行されたことを判断することを特徴とする請求項２に記載の画像表示システム。
【請求項５】
前記制御手段は、前記指示検出手段により前記操作ボタン以外の領域において前記指示光がＯＦＦからＯＮに戻ったことを検出した後において、前記操作ボタンのいずれかの領域において前記指示光の照射のＯＮまたはＯＦＦを検出した際に、該操作ボタンに対する操作が実行されたことを判断することを特徴とする請求項２に記載の画像表示システム。
【請求項６】
前記制御手段は、前記指示検出手段により前記操作ボタンのいずれかの領域において前記指示光の照射が再びＯＮからＯＦＦに戻ったことを検出した際に、該操作ボタンに対する操作が実行されたことを判断することを特徴とする請求項２に記載の画像表示システム。
【請求項７】
前記制御手段は、前記指示検出手段により前記画像情報における周辺領域において前記指示光の照射がＯＮからＯＦＦになったことを検出したときは、前記追加画像情報を設定しないことを特徴とする請求項１から６までのいずれかに記載の画像表示システム。
【請求項８】
前記追加画像情報は、前記操作ボタンが表示されない非操作領域を含み、
前記制御手段は、前記指示検出手段による前記指示光の照射位置に基づいて該指示光の照射位置の変化軌跡を算出し、
前記非操作領域において前記指示光の照射がＯＮであることを検出したときには、前記指示光の照射位置の変化軌跡に沿って、前記追加画像情報の設定位置を変化させることを特徴とする請求項２に記載の画像表示システム。
【請求項９】
前記制御手段は、前記指示検出手段による前記指示光の照射位置に基づいて該指示光の照射位置の変化軌跡を算出し、かつ、該指示光の照射位置の変化軌跡に基づいて前記指示光の動きベクトル量を算出し、
該動きベクトル量が所定速度よりも速いか否かを判断し、速度が速いと判断する場合に前記指示光の照射がＯＮからＯＦＦになったことを検出したときは、前記追加画像情報を設定しないことを特徴とする請求項１から８までのいずれかに記載の画像表示システム。
【請求項１０】
画像情報を投影する映像投影ステップと、
前記画像情報に対して指示光を照射して位置を指示すると共に、照射のＯＮ／ＯＦＦの切替える光ポインタによる指示ステップと、
前記画像情報が投影される領域を撮影して撮影情報を出力する撮像ステップと、
前記撮影情報に基づいて前記画像情報における前記指示光の照射位置と、該指示光の照射のＯＮ／ＯＦＦ状態を検出する指示検出ステップと、
前記指示検出ステップにおいて前記指示光の照射がＯＮからＯＦＦになったことを検出したときに、前記指示光がＯＦＦになった位置に応じて追加画像情報を設定する表示制御ステップと、
を行うことを特徴とする画像表示方法。
【発明の詳細な説明】
【技術分野】
【０００１】
本発明は、画像表示システムおよび画像表示方法に関する。さらに詳述すると、光ポインタによる各種操作の操作性の向上に好適な画像表示システムおよび画像表示方法に関する。
【背景技術】
【０００２】
プロジェクタを用いたプレゼンテーションにおいて、スクリーンに投影された画像における所望位置を照射するために用いられるレーザーポインタ等の光ポインタは、従来、単にスクリーン上の所定位置を指示する機能しかなく、通常のＰＣ操作やマウスのクリック機能を有していなかった。
【０００３】
そのため、操作者は、光ポインタで所望の位置を指示した後、プロジェクタに接続されたＰＣにおいてキーボードやマウス操作のために光ポインタでの指示を一旦止め、キーボードやマウス操作を行う必要があった。
【０００４】
これに対し、プロジェクタによる投影画面をカメラで撮影し、投影画面に向けられた光ポインタによる指示光の発光点を検出して座標の指定やクリックなどの操作を行う技術が提案されている。これらの技術では、例えば、一定時間同じ箇所を光ポインタでポイントすることや、所定位置で光ポインタを点滅させることにより、クリック機能（いわゆる左クリック操作）を実現している。
【０００５】
例えば、特許文献１および特許文献２には、光ポインタによる投影画面の操作を行うことを目的として、光ポインタを含む投影画面をカメラで撮影し、光ポインタの座標を検出することで、投影画像上での位置情報を得る方法が開示されている。
【０００６】
また、特許文献３には、光ポインタによるクリックなどの操作を行う目的で、消灯時の座標位置とスポット光の再点灯時の座標位置とが所定の許可範囲内にあるか判定し、クリックなどの指示を行う方法が開示されている。
【発明の概要】
【発明が解決しようとする課題】
【０００７】
しかしながら、光ポインタでは、マウス等と異なり指示位置を固定することが困難であるため、所定時間以上同じ箇所をポイントすることを要する方法では、操作者の操作が難しく、また、操作のたびに所定時間待つ必要があることとなり、操作速度が遅くなり、操作性が悪くなるという問題があった。
【０００８】
また、光ポインタを点滅させることにより操作する方法では、光ポインタの操作スイッチを押したり離したりする動作を行うことを要するが、再点灯させる場合の光ポインタの操作スイッチを押す時に、手振れが発生して座標がずれて誤動作する問題があった。また、この手振れによる誤動作を防ぐために、点滅有効範囲を広げる必要があったり、この点滅有効範囲が操作者には不明確で操作性が悪くなったりするという問題があった。
【０００９】
さらに、上述の方法では、クリックなどの単一の操作については一応実行することが可能となるが、例えば、いわゆる右クリック操作や、スクロール操作（クリックを継続する操作）などの他の操作については、実行することが困難であった。なお、投影画面上には、各種の操作ボタン（スクロールボタン等）が表示されている場合もあるが、これらの操作ボタンは小さいため、光ポインタで正確に指示することは困難であった。
【００１０】
そこで本発明は、光ポインタの消灯操作をトリガとして、投影画面上に各種の操作を実現可能とする追加画像を表示させることにより、光ポインタにより各種の操作を正確、かつ操作性良く実行させることができる画像表示システムおよび画像表示方法を提供することを目的とする。
【課題を解決するための手段】
【００１１】
かかる目的を達成するため、本発明に係る画像表示システムは、画像情報を投影する映像投影手段と、画像情報に対して指示光を照射して位置を指示すると共に、照射のＯＮ／ＯＦＦの切替えが可能な光ポインタと、画像情報が投影される領域を撮影して撮影情報を出力する撮像手段と、撮影情報に基づいて画像情報における指示光の照射位置と、該指示光の照射のＯＮ／ＯＦＦ状態を検出する指示検出手段と、指示検出手段により指示光の照射がＯＮからＯＦＦになったことを検出したときに、指示光がＯＦＦになった位置に応じて追加画像情報を設定する制御手段と、を備えるものである。
【００１２】
また、本発明に係る画像表示方法は、画像情報を投影する映像投影ステップと、画像情報に対して指示光を照射して位置を指示すると共に、照射のＯＮ／ＯＦＦの切替える光ポインタによる指示ステップと、画像情報が投影される領域を撮影して撮影情報を出力する撮像ステップと、撮影情報に基づいて画像情報における指示光の照射位置と、該指示光の照射のＯＮ／ＯＦＦ状態を検出する指示検出ステップと、指示検出ステップにおいて指示光の照射がＯＮからＯＦＦになったことを検出したときに、指示光がＯＦＦになった位置に応じて追加画像情報を設定する表示制御ステップと、を行うようにしている。
【発明の効果】
【００１３】
本発明によれば、光ポインタにより各種の操作を正確、かつ操作性良く実行させることができる。
【図面の簡単な説明】
【００１４】
【図１】本実施形態に係る画像表示システムの概略構成図である。
【図２】入力装置の機能ブロック図である。
【図３】選択領域の表示の一例を示す模式図である。
【図４】選択領域が表示された状態における画像表示システムの概略構成図である。
【図５】入力装置による選択領域の表示及び操作処理の一例を示すフローチャートである。
【図６】選択領域の表示の他の例を示す模式図である。
【図７】選択領域の表示の他の例を示す模式図である。
【図８】選択領域の表示の他の例を示す模式図である。
【図９】画像表示領域における選択領域を表示しない領域を示す模式図である。
【図１０】入力装置による選択領域の表示及び操作処理の他の例を示すフローチャートである。
【発明を実施するための形態】
【００１５】
以下、本発明に係る構成を図１から図１０に示す実施の形態に基づいて詳細に説明する。
【００１６】
［第１の実施形態］
本実施形態に係る画像表示システム（１００）は、画像情報（スクリーン１０１の画像表示領域１０２に投影される画像）を投影する映像投影手段（プロジェクタ１０４）と、画像情報に対して指示光（スポット光１０８）を照射して位置を指示すると共に、照射のＯＮ／ＯＦＦの切替えが可能な光ポインタ（１０７）と、画像情報が投影される領域（画像表示領域１０２）を撮影して撮影情報を出力する撮像手段（カメラ１０３）と、撮影情報に基づいて画像情報における指示光の照射位置と、該指示光の照射のＯＮ／ＯＦＦ状態を検出する指示検出手段（入力装置１０５のポインタ位置検出部２０２等）と、指示検出手段により指示光の照射がＯＮからＯＦＦになったことを検出したときに、指示光がＯＦＦになった位置に応じて追加画像情報（選択領域３０６等）を設定する制御手段（入力装置１０５の制御部２０３等）と、を備えるものである。
【００１７】
すなわち、光ポインタの操作スイッチを押す動作（ＯＮ）よりも離す動作（ＯＦＦ）のほうが手振れによるスポット光のぶれが少ない点に着目し、光ポインタの消灯をトリガとして複数の操作を示す選択領域を表示させ、例えば、所望の操作を示す選択領域において光ポインタを再点灯することで操作を行うことにより、通常のクリック操作（左クリック）のみでなく、右クリックやスクロールなどを含む複数の操作を視覚的な表示画像から選択可能として、操作性を向上するものである。
【００１８】
（画像表示システム概要）
図１に本実施形態に係る画像表示システム１００の概略構成図を示す。図１を参照して、画像表示システム１００の基本動作について説明する。
【００１９】
図１は、スクリーン１０１の略正面に設置されたプロジェクタ１０４により、所定のプレゼンテーション用の画像（画像情報）が投影されている様子を示している。これに対し、操作者は、スクリーン１０１上の画像が表示されている領域である画像表示領域１０２における所望の位置をレーザーポインタなどの光ポインタ１０７で指示しながら、第三者に対するプレゼンテーションを行なうことができる。
【００２０】
また、操作者が、光ポインタ１０７から照射されるスポット光１０８を用いて画像表示領域１０２の所望の位置を指示すると、画像表示領域１０２およびスポット光１０８が、画像表示領域１０２の略正面に設けられているカメラ１０３により、指示画像として撮像される。
【００２１】
この指示画像に対し、入力装置１０５において重心検出処理等の画像処理が行われ、スポット光１０８の重心位置が指示位置（ポインタ位置）として検出される。この指示位置やスポット光１０８の検出有無に応じてＰＣ１０６に操作情報を送信することで光ポインタ１０７によりカーソルの移動や、アイコン１０９等の左クリックや右クリックなどの操作を実現するものである。
【００２２】
なお、図１に示す画像表示システム１００では、プロジェクタ１０４と、カメラ１０３と、入力装置１０５とは、異なるハードウェアにより構成されているが、カメラ１０３、および／または入力装置１０５をプロジェクタ１０４が備える構成であっても良い。例えば、画像表示システム１００を、カメラ１０３と入力装置１０５を備えたプロジェクタ１０４と、ＰＣ１０６により構成することとしても良い。
【００２３】
また、図１に示す例では、プロジェクタ１０４およびカメラ１０３がスクリーン１０１に対して略正面に設置されているが、投影位置および撮像位置はこれに限られるものではなく、例えば、スクリーンの略水平方向の至近距離から投影が可能な至近投写型のプロジェクタ１０４等を用いて、投影位置の補正を行って、指示位置を検出するようにしても良い。
【００２４】
（入力装置の構成）
図２に、入力装置１０５の機能ブロック図を示す。なお、入力装置１０５は、ＰＣ１０６とは異なるハードウェア資源により実現されるものであっても、ＰＣ１０６にハードウェアとして備えるものであっても、プログラムとして実行させることでＰＣ１０６を入力装置１０５として機能させるものであっても良い。この場合、カメラ１０３およびプロジェクタ１０４は、ＰＣ１０６に直接接続することとすればよい。
【００２５】
入力装置１０５は、先ずカメラ１０３による画像表示領域１０２およびスポット光１０８の撮影画像である指示画像を撮影画像取得部２０１にて取得する。
【００２６】
ポインタ位置検出部２０２は、当該指示画像について、スポット光１０８の重心位置である指示位置の検出を行う。指示画像中における指示位置の検出処理は、公知または新規の手段によれば良く、特に限られるものではないが、例えば、ノイズフィルタ、２値化処理、重心検出処理など処理により検出すれば良い。このようにして検出した指示位置の座標は、制御部２０３に送信される。
【００２７】
また、画像信号入力部２０７はＰＣ１０６からの画像信号を受け取り、画像合成部２０６へ画像信号を送る。画像合成部２０６では入力された画像信号の画像サイズを制御部２０３に送る。
【００２８】
制御部２０３ではポインタ位置検出部２０２からのカメラ１０３上での座標データと画像合成部２０６から受け取った画像サイズから座標変換を行い、ＰＣ１０６の画像上の座標に変換し、操作信号生成部２０４に送る。操作信号生成部２０４ではＰＣ１０６で認識できる操作信号、たとえばＵＳＢマウスと同等の信号を生成しＰＣ１０６に送信する。
【００２９】
上記動作により、光ポインタ１０７による指示位置の指定が実現される。
【００３０】
また、制御部２０３では、ポインタ位置検出部２０２が検出する座標データに基づいて、指示位置の変化軌跡、および当該変化軌跡に基づく指示位置の変化量（動きベクトル）を算出することができる。これにより、光ポインタ１０７の移動軌跡や移動速度を求めることができる。なお、当該処理はＰＣ１０６で行うようにしても良い。
【００３１】
また、光ポインタ１０７が消灯すると、ポインタ位置検出部２０２にてポインタ座標が検出されないことを制御部２０３に通知する。制御部２０３では、消灯を検出すると消灯前の座標位置に複数の指示内容（左クリック、右クリック、スクロールなどの操作指示）を示す選択領域の画像（追加画像情報）を画像合成部２０６に送り、ＰＣ１０６からの入力画像と合成する。
【００３２】
この合成画像を画像信号出力部２０５に送り、プロジェクタ１０４への画像入力信号とする。これによりＰＣ１０６の画像に選択領域の画像が合成された画像がプロジェクタ１０４から投影される。
【００３３】
これに対し、操作者が投影された合成画像における選択領域に対して光ポインタ１０７を再点灯させ、その座標を制御部２０３が受け取ると、その選択領域に応じた操作内容の指示を操作信号生成部２０４へ送信する。
【００３４】
上記動作により、光ポインタ１０７の消灯をトリガとした選択領域の表示及び操作が実現する。
【００３５】
（選択領域の表示および操作）
上記動作について、図３に示す選択領域の表示例を参照して説明する。図３（Ａ）に示すように、光ポインタ１０７を消灯することでスポット光１０８を所定位置（図３ではアイコン１０９上）で消灯させると、スポット光の消灯位置（アイコン１０９の位置）を基準として、図３（Ｂ）に示すように、選択領域３０６がオーバレイ表示される。このようにして、選択領域３０６が画像表示領域１０２に合成して表示された状態の画像表示システムを図４に示す。
【００３６】
図３（Ｂ）に示す例では、選択領域３０６は、上スクロール領域３０２、左クリック領域３０３、右クリック領域３０４および下スクロール領域３０５の４つの領域（操作ボタン）により構成されており、選択領域３０６上の所定位置で光ポインタを再点灯すると、当該所定位置の領域３０２〜３０５について選択操作（クリック動作）が実行され、対応する操作信号が出力される。このように各種の操作を実行する操作ボタンを選択領域３０６にまとめて見やすく表示させることにより、光ポインタを用いても容易にスポット光を照射させることができ、操作性の向上を図っている。
【００３７】
また、以上説明した入力装置１０５による選択領域の表示及び操作処理を図５のフローチャートに示す。
【００３８】
先ず、光ポインタ１０７の点灯を検出している状態（Ｓ１０１）から、光ポインタの消灯を検出すると（Ｓ１０２）、選択領域が合成表示される（Ｓ１０３）。
【００３９】
この状態において、一定時間内に選択領域において光ポインタ１０７の再点灯があるかどうかを判断し（Ｓ１０４）、選択領域内で再点灯があった場合は（Ｓ１０４：Ｙｅｓ）、再点灯があった選択ボタンに対応する指示内容が実行され（Ｓ１０５）、その後、選択領域の表示が解除される（Ｓ１０６）。
【００４０】
一方、一定時間の経過や選択領域外において光ポインタ１０７が再点灯された場合は（Ｓ１０４：Ｎｏ）、選択領域の表示が解除される（Ｓ１０６）。
【００４１】
なお、選択領域の形状や選択領域中の操作ボタンの種類は、図３の例に限られるものではなく、例えば、選択領域自体の大きさ／形状、各操作ボタンの大きさ／形状／配置、各操作ボタンに対応する操作等は、任意に設定できる構成とすることが好ましい。また、予め登録された複数の選択領域の表示形式から所望の表示形式を選択可能であることも好ましい。
【００４２】
例えば、図６に示すように、光ポインタ１０７の消灯を検出してからの光ポインタ１０７の移動量が共通となるように、消灯位置（アイコン１０９）を中心として、同心円形状に各選択ボタン３０２〜３０５を配置した選択領域３０７とすることも好ましい。
【００４３】
また、例えば、図７に示すように、光ポインタ１０７のスイッチの位置や形状により縦方向の手振れが大きいと考えられる場合には、各選択ボタン３０２〜３０５を横方向に配列させた形状の選択領域３０８とすることも好ましい。
【００４４】
また、例えば、文書や図などの閲覧のみを行う場合のように、上下のスクロールしか必要としない場合には、図８に示すように、上スクロール領域３０２、下スクロール領域３０５のみから構成される選択領域３１０としても良い。
【００４５】
また、選択領域は、必ずしも光ポインタ１０７の消灯位置にオーバレイ表示させる必要はなく、消灯位置（アイコン１０９）の近傍に表示させるようにしても良い。
【００４６】
また、例えば、操作者がスポット光１０８を画像表示領域１０２の外へ移動させるような場合を考えると、操作のための消灯ではなくとも消灯が検出されることとなるため、図９に示すように、画像表示領域１０２の端部側の選択領域を表示しない領域（周辺領域）３０９を設定し、当該領域３０９において、光ポインタ１０７の消灯を検出した場合は、選択領域を表示させないようにしても良い。これにより、意図せずに選択領域が表示されてしまうことを防ぐことができる。
【００４７】
以上説明したように、本実施形態に係る画像表示システムによれば、光ポインタの消灯を行う際は、点灯スイッチを離す動作のため手振れしにくく、操作者の所望の座標を指定することが可能である。また、消灯をトリガとして複数の操作を示す選択領域を表示するため、複数の操作を実現することができる。
【００４８】
さらに、再点灯により所望の操作を実行する際は、点灯スイッチを押す動作のため手振れしやすいが、手振れの範囲より大きい選択領域を表示することで手振れに対して誤動作を防ぐことができる。また、操作者は、視認できる選択領域に対して再点灯すれば良いため明確な操作が可能であり、どの操作においても一定時間待つことなく操作できるため操作時間を短くすることができる。このように、光ポインタにより各種の操作を正確、かつ操作性良く実行させることができることができる。
【００４９】
［第２の実施形態］
以下、本実施形態に係る画像表示システムの他の実施形態について説明する。なお、上記第１の実施形態と同様の点についての説明は適宜省略する。
【００５０】
上記第１の実施形態では、光ポインタの消灯をトリガとして選択領域を表示させ、光ポインタの点灯位置が、表示された選択領域のいずれの領域であるかに応じて、当該領域（選択ボタン）に対応する操作を行うようにしている。しかしながら、光ポインタの消灯後に光ポインタを動かしたり、いったん手放したりした場合には、光ポインタの位置合わせが困難であり、操作者の所望の位置で再点灯させることができず、意図しない操作が実行されることにも繋がる恐れがある。
【００５１】
そこで、例えば、再点灯した位置ではなく、その後、光ポインタが移動したとしても再点灯後に最初に所定時間（例えば、１秒間）連続して照射された位置についての操作を実行することも好ましい。これにより、単に再点灯後にスポット光１０８が横切った領域の操作が実行されることを無くすことができる。
【００５２】
また、例えば、再点灯した位置が選択領域外であることも考えられるので、その場合には、その後選択領域内で最初に停止した位置についての操作を実行することとしても良い。
【００５３】
［第３の実施形態］
また、上記第１〜第２の実施形態では、選択領域における選択ボタンの選択動作は、光ポインタの再点灯があった場合に行うようにする例について説明したが、上述のように、光ポインタの再点灯が所望の位置でなされないことも考えられる。このため、光ポインタの再点灯時には選択領域の選択操作を実行させず、選択領域を表示させる場合と同様に、選択領域上において光ポインタが再点灯された状態から、再消灯させた位置の選択操作を行うようにしても良い。
【００５４】
本実施形態における、入力装置１０５による選択領域の表示及び操作処理を図１０のフローチャートに示す。
【００５５】
先ず、光ポインタ１０７の点灯を検出している状態（Ｓ２０１）から、光ポインタの消灯を検出すると（Ｓ２０２）、選択領域が合成表示される（Ｓ２０３）。
【００５６】
この状態において、一定時間内に選択領域において光ポインタ１０７の再点灯があるかどうかを判断し（Ｓ２０４）、選択領域内で再点灯があった場合は（Ｓ２０４：Ｙｅｓ）、さらに、選択領域内で再消灯があるかどうかを判断する（Ｓ２０５）。
【００５７】
選択領域内で再消灯があった場合は（Ｓ２０５：Ｙｅｓ）、当該選択領域の指示内容が実行され（Ｓ２０６）、その後、選択領域の表示が解除される（Ｓ２０７）。
【００５８】
一方、一定時間の経過や選択領域外において光ポインタ１０７が再点灯された場合（Ｓ２０４：Ｎｏ）、および選択領域内での再点灯後に選択領域内で再消灯がない場合（Ｓ２０５：Ｎｏ）は、選択領域の表示が解除される（Ｓ２０７）。
【００５９】
本実施形態では、選択領域が表示された状態において、操作者が、光ポインタが点灯した状態で操作内容の選択を行うことができるため、操作内容を視覚的に選ぶことができ、さらに操作性に優れた画像表示システムとすることができる。
【００６０】
なお、選択領域内で再点灯があった場合には、上記第１の実施形態で説明したように、そのままその操作を実行させ、選択領域外で再点灯があった場合には、本実施形態で説明したように、その後に選択領域内で再消灯した位置での操作を実行するようにしても良い。
【００６１】
［第４の実施形態］
また、上述したように、入力装置１０５がスポット光１０８の座標の変化軌跡に基づいて、スポット光１０８の動きベクトルを算出するようにし、この動きベクトルが所定速度よりも速いか否かを判断し、速度が速いと判断する状況においてスポット光１０８の消灯を検出したときは、選択領域の表示を行わないようしても良い。
【００６２】
このように素早くスポット光が移動している状況は、例えば、操作者が画像表示領域の外側へスポット光を移動させようとしている場合等が考えられるため、このような場合に意図せずに選択領域が表示されてしまうことを防ぐことができる。
【００６３】
［第５の実施形態］
また、上記実施形態では、選択領域における光ポインタ１０７の点灯／消灯により、所定の選択ボタンについてのクリック機能を実行する例について説明したが、光ポインタ１０７の点灯／消灯により、その他の操作を実行させるようにしても良い。
【００６４】
例えば、図３，図６〜図８に示したような選択領域内における、操作ボタンが表示されていない部分（非操作領域）において、光ポインタ１０７を点灯させたままスポット光１０８を移動させた場合には、選択領域の表示位置が移動するように制御して、選択領域のドラッグアンドドロップ機能を実現させるようにしても良い。これにより、選択領域の表示位置を所望の位置に移動させることができる。
【００６５】
また、選択領域内において、光ポインタ１０７の点灯／消灯が連続して所定時間内に実行された場合には、ダブルクリック機能を実現させるようにしても良い。また、例えば、選択領域の上スクロール領域３０２や下スクロール領域３０５上において、光ポインタの点灯／消灯が連続して所定時間内に実行された場合に、連続したスクロール機能（クリックが継続されている状態）を実現させるようにしても良い。
【００６６】
尚、上述の実施形態は本発明の好適な実施の例ではあるがこれに限定されるものではなく、本発明の要旨を逸脱しない範囲において種々変形実施可能である。
【符号の説明】
【００６７】
１００  画像表示システム
１０１  スクリーン
１０２  画像表示領域
１０３  カメラ（撮像手段）
１０４  プロジェクタ（映像投影手段）
１０５  入力装置
１０６  ＰＣ
１０７  光ポインタ
１０８  スポット光（指示光）
１０９  アイコン
２００  撮影画像取得部
２０２  ポインタ位置検出部
２０３  制御部
２０４  操作信号生成部
２０５  画像信号出力部
２０６  画像合成部
２０７  画像信号入力部
３０１  カーソル
３０２  上スクロール領域
３０３  左クリック領域
３０４  右クリック領域
３０５  下スクロール領域
３０６，３０７，３０８，３１０  選択領域（追加画像情報）
３０９  選択領域を表示しない領域（周辺領域）
【先行技術文献】
【特許文献】
【００６８】
【特許文献１】特開平３−１６７６２１号公報
【特許文献２】特開平４−３２４８４７号公報
【特許文献３】特開２００２−１１６８７８号公報
【図２】
2012234382.tif 000003
【図５】
2012234382.tif 000004
【図１０】
2012234382.tif 000005
【図１】
2012234382.tif 000006
【図３】
2012234382.tif 000007
【図４】
2012234382.tif 000008
【図６】
2012234382.tif 000009
【図７】
2012234382.tif 000010
【図８】
2012234382.tif 000011
【図９】
2012234382.tif 000012